(57)【特許請求の範囲】
【請求項１】
充電池を装着した被充電機器を嵌入する開口を上部に設けた充電器本体と、充電器本体の開口に取り付けるスペーサーとからなり、
前記スペーサーは、嵌入した被充電機器の前面あるいは後面が臨む開口周囲の前方あるいは後方の端面に水平に載置される仕切り板と、前記仕切り板を円弧状に移動させて開口の底面に垂直に支持するガイド部とからなり、前記垂直に支持した仕切り板で底面を仕切り、開口に嵌入した充電池を保持して充電できるようにした充電器。
【請求項２】
上記スペーサーを、一端に仕切り板を取り付けて鉤部を形成し、他端に軸を設けたガイド部からなるＬ型部材とし、前記Ｌ型部材の仕切り板を開口周囲の前方あるいは後方の端面に載置し、他端の軸を開口内に回動自在に取り付けて仕切り板を円弧状に移動させて開口の底面に垂直に支持するようにして底面を仕切り、開口に嵌入した充電池を保持して充電できるようにした請求項１に記載の充電器。
【請求項３】
上記スペーサーの仕切り板の両側方向に充電池の幅の間隔をおいて、外向きの突片を形成した請求項１または２に記載の充電器。
【請求項４】
上記スペーサーに係合部を設け、一方、開口の内壁に係止部を設けて、前記スペーサーの仕切り板を底面に垂直に支持した際に、スペーサーの係合部と前記内壁の係止部とが係合するようにした請求項１乃至３のいずれかに記載の充電器。
【請求項５】
上記スペーサーの仕切り板に突起を設け、その突起と係合する係止部を開口端部に設けて係合するようにした請求項１乃至４のいずれかに記載の充電器。
【発明の詳細な説明】
【技術分野】
【０００１】
この発明は、充電池を機器に装着したままでも、また、充電池単体でも充電することのできる充電器に関するものである。
【背景技術】
【０００２】
携帯無線機、携帯電話・・・など携帯型の電子機器の多くは、充電池（充電パックも含む）を使用しており、この充電に充電器を使用する。
【０００３】
この充電器は、例えば、図５に示す本願の実施形態の充電器１０のように、上部に被充電機器１１を嵌入する開口１２を設け、その開口１２に充電池（充電バッテリー）１３を装着したままの被充電機器１１を嵌入して充電を行なうというものである。
【０００４】
ところで、前記被充電機器１１を長時間使用する場合は、予備の充電池１３を充電しておいて取替えて使用する。
【０００５】
ところが、単体の充電池１３は、機器１１の厚みよりも薄いので、そのまま充電器に嵌入しても充電端子と上手く接触できず、充電できない問題があった。そのため、従来、開口１２にスペーサーを装着し隙間を埋めて充電する方法が用いられていた。この場合、スペーサーは充電器と別パーツとなるので、紛失してしまう問題がある。例えば、一度スペーサーを使用して充電池１３を充電しても、偶にしか使わなければ行方不明になってしまう。
【０００６】
この紛失問題の一つの解決策として、充電器にスペーサーの収納スペースを設ける方法を採用したが、収納スペースを設けた分だけ充電器が大型化してしまう問題が生じた。
【０００７】
このような紛失問題の他の解決策として、図８の（特許文献１）には、充電池１３を装着した被充電機器１１を嵌入する前ポケット１の後方に、充電池１３を嵌入する後ポケット２を設けた充電器３が記載されている。
【０００８】
すなわち、この充電器３の前後のポケット１、２には、それぞれ、バネで付勢されたレバー４が設けられている。このレバー４は、小型の充電池（充電パック）１３を前記ポケット２に収容した際に、充電池１３をポケット２に圧接して固定するとともに、大型の充電池１３を前記ポケット２に収容する際には、回動して背面に収納されるようになっており、大小の充電池１３を前記ポケット２に安定して保持するというものである。
【特許文献１】特開２０００−９０９８５号公報
【発明の開示】
【発明が解決しようとする課題】
【０００９】
しかしながら、上記の機器用と充電池用のポケットを前後に設けるものでは、ポケットごとに充電端子を設けなければならず、コストアップになる。しかも、前後にポケットを設けるために大型化する問題もある。
【００１０】
また、上記の大小の充電池を保持する仕組みは、充電池を装着した機器と単体の充電池を同じ開口に嵌入して充電する場合にも適用可能と考えられるが、ポケット内にバネで付勢したレバーを回動するようにして収納する仕組みを設けなければならないので、構造が複雑になり製作に手間が掛かり、耐久性に劣る問題も考えられる。
【００１１】
そこで、この発明の課題は、スペーサーの紛失を防いで小型化が図れるようにすること、その際、簡単な機構で機器（充電池を装着した）と充電池単体の充電を同じ開口（ポケット）で使用できるようにする（充電端子を共用できるようにする）ことである。
【課題を解決するための手段】
【００１２】
上記の課題を解決するため、この発明では、充電池を装着した被充電機器を嵌入する開口を上部に設けた充電器本体と、充電器本体の開口に取り付けるスペーサーとからなり、前記スペーサーは、嵌入した被充電機器の前面あるいは後面が臨む開口周囲の前方あるいは後方の端面に水平に載置される仕切り板と、前記仕切り板を円弧状に移動させて開口の底面に垂直に支持するガイド部とからなり、前記垂直に支持した仕切り板で底面を仕切り、開口に嵌入した充電池を保持して充電できるようにした構成を採用したのである。
【００１３】
このような構成を採用することにより、仕切り板を被充電機器の前面あるいは後面が臨む開口周囲の前方あるいは後方の端面に水平に載置すると、開口内はスペースが広くなり、充電池を装着した被充電機器を嵌入して充電することができる。一方、仕切り板をガイド部によって、円弧状に移動させて開口の底面に垂直に支持すると、仕切り板が開口内を前後に仕切る。このとき、仕切り板によって仕切られるスペースは、充電池を収容できるスペースを確保するようにしてあるので、単体の充電池を嵌入して充電することができる。
【００１４】
また、このとき、スペーサーを、一端に仕切り板を取り付けて鉤部を形成し、他端に軸を設けたガイド部からなるＬ型部材とし、前記Ｌ型部材の仕切り板を開口周囲の前方あるいは後方の端面に載置し、他端の軸を開口内に回動自在に取り付けて仕切り板を円弧状に移動させて開口の底面に垂直に支持するようにして底面を仕切り、開口に嵌入した充電池を保持して充電できるようにした構成を採用することもできる。
【００１５】
このような構成を採用することにより、Ｌ型のスペーサーを回動して、仕切り板を被充電機器の前面あるいは後面が臨む開口周囲の前方あるいは後方の端面に水平に載置すると、開口内はスペースが広くなり、充電池を装着した被充電機器を嵌入して充電することができる。一方、Ｌ型のスペーサーを回動して、仕切り板を円弧状に移動し底面に寝かせると、垂直に支持された仕切り板は、開口内を前後に仕切る。このとき、仕切り板によって仕切られるスペースは、充電池を収容できるスペースを確保するようにしてあるので、単体の充電池を嵌入して充電することができる。
【００１６】
このとき、スペーサーの仕切り板の両側方向に充電池の幅の間隔をおいて、外向きの突片を形成した構成を採用することができる。
【００１７】
このような構成を採用することにより、仕切り板を移動して底面に垂直な仕切り板と後方の内壁との間に形成されるスペースに充電池を嵌入すると、嵌入した充電池の両側を仕切り板の両側方向に形成した突片が保持して安定させることができる。
【００１８】
また、このとき、スペーサーに係合部を設け、一方、開口の内壁に係止部を設けて、前記スペーサーの仕切り板を底面に垂直に支持した際に、スペーサーの係合部と前記内壁の係止部とが係合するようにした構成を採用することができる。
【００１９】
このような構成を採用することにより、スペーサーを移動して寝かせると、スペーサーの係合部と内壁の係止部とが係合してスペーサーを動かないようにできる。そのため、この状態で、充電池をスペーサーの仕切り板と内壁との間のスペースに嵌入すると、前記電池が、充電端子に押された場合でもスペーサーが浮き上がって戻ることはなく、充電が正常にできる。
【００２０】
また、このとき、スペーサーの仕切り板に突起を設け、その突起と係合する係止部を開口端部に設けて係合するようにした構成を採用することができる。
【００２１】
このような構成を採用することにより、スペーサーの仕切り板を上端部に載置すると、仕切り板に形成した突起が、開口端部に形成した係止部と係合し、仕切り板を載置した状態で保持して、充電池を装着した被充電機器を充電する際に邪魔にならないようにできる。
【発明の効果】
【００２２】
この発明は、以上のように構成したことにより、充電池を装着した機器と充電池単体の充電が、充電端子を共用して一つの開口で充電できる。また、単体の充電池を充電する際は、スペーサーを回動するという簡単な作業で充電可能となる。また、スペーサーと充電器本体とが一体となっているので、スペーサーを紛失することはない。さらに、スペーサーは、充電器本体と一体にすることで、スペーサーを収納する為だけのデッドスペースを設けなくてよくなるので、充電器を小型化できる。
【発明を実施するための最良の形態】
【００２３】
以下、この発明を図面に基づいて説明する。図１に示すように、この形態の充電器１０は、充電器本体１０´とその充電器本体１０´に取り付けられるスペーサー１４とからなっている。
【００２４】
充電器本体１０´は、図５のように、上部に充電池１３を装着した被充電機器１１を嵌入する少し大きめの開口１２が形成され、その開口１２の後方の内壁に嵌入した被充電機器１１の後部の接点１５と接触する充電端子１６を設けた構成となっている。また、この後方の内壁には、図１のように、後述のスペーサー１４の係合部１７と係合する係止部１８が設けてある。
【００２５】
前記係止部１８は、図２のようなフック状のもので、図１のものでは、充電端子１６の左側に、段差１９を設けて、その段差１９に設けるようにしてある。この段差１９は、開口１２に嵌入した被充電機器１１や充電池１３と係止部１８が接触しないようにするためのものである。
【００２６】
また、開口１２は、前方の壁の高さを低くして、スペーサー１４のガイド部１４ｂと同じ高さ（長さ）にするとともに、壁の厚みを厚くして、この厚くした壁の上端部１２ａにスペーサー１４の仕切り板（鉤部）１４ａを載置するようにしてある。このとき、低くした壁の高さは、図６のように、開口１２の底面の長さｃから充電池１３の厚みｄを引いた長さに合わせてある。こうすることで、後述のように、開口１２をスペーサー１４で前後に仕切って充電池１３を支持できるようにしてある。
【００２７】
また、このように、壁の高さを低くしたことを利用して、図１及び図３のように、上端部１２ａの両側に形成される側部に段２０を設けて、その段２０に、後述するスペーサー１４の両側に形成した突起２１と係合する係止部２２を設けるようにしてある。前記係止部２２は、この形態では、上下方向に形成した突条様のもので、この係止部（以下、突条）２２を、図３のように、スペーサー１４の突起２１が越えることで、スペーサー１４を立てた状態で保持できるようにしてある。このとき、突起２１は、小判形（長丸形）として図３のように、突条２２との接触部分を広くすることにより、スペーサー１４を安定して保持できるようにしてある。また、この突条２２を形成した両側の段２０は、図３のように、少しだけ内側に延長し、その延長部分に、図１のように、孔２３を設けてスペーサー１４を回動自在に支持するようにしてある。このように段２０を設けることで、開口１２の幅よりも短いスペーサー１４を支持できるようにしてある。
【００２８】
また、開口１２には、この他、左右の内壁の中程に突条２４を設けて、充電池１３を装着した被充電機器１１を規制し、充電端子１６との接触が正しくできるようにしてある。
【００２９】
一方、スペーサー１４は、一端に仕切り板１４ａを取り付けて鉤部を形成し、他端に軸２５を設けたガイド部１４ｂとからなるＬ型部材で、鉤部（仕切り板１４ａ）の内側を開口１２の前方の上端部１２ａに載置するようにし、かつ、ガイド部１４ｂを開口１２の前方の内壁に接するようにして回動自在に取り付けてある。すなわち、ガイド部１４ｂは他端の両側に軸２５を設け、その軸２５を開口１２の前述した段２０の孔２３に嵌めることにより、回動自在に取り付けてある。
【００３０】
このとき、このスペーサー１４の仕切り板１４ａの長さは、前述したように、開口前方の上端部１２ａの幅と同じ長さにして一体にすることにより、邪魔にならないようにしてある。この仕切り板１４ａの両側には、外向きの突片２６を形成してある。前記突片２６は、充電池１３の幅とほぼ同じ間隔となるようにしてあって、図１のものでは、左側のものに段を付けて突出させたツメ状の係合部１７を形成してある。このように、係合部１７を延長したツメ状にしたことにより、開口１２の後方の内壁に設けた段差１９の係止部１８と係合できるようにしてある。
【００３１】
また、この突片２６の外側、すなわち、仕切り板１４ａの両側に小判形の突起２１が形成してあって、前述のように、開口前方の上端部１２ａの両側に設けた段２０の突条２２と係合するようになっている。
【００３２】
なお、図中の符号３０は、充電完了を表示するためのＬＥＤである。
【００３３】
この形態は、上記のように構成されており、充電池１３を装着した被充電機器１１を充電する場合は、図４のように、スペーサー１４を立てて、スペーサー１４の仕切り板１４ａを開口１２の前方の上端部１２ａに載置するようにする。そして、上端部１２ａの両側の段２０に設けた突条２２に、仕切り板１４ａの突起２１を係合させて保持させる。この状態で、開口１２に被充電機器１１を嵌入すると、図５のように、被充電機器１１の後部の接点１５が開口１２の内部の充電端子１６と接触して充電が行なわれる。
【００３４】
一方、充電池１３単体を充電する場合は、スペーサー１４を開口１２の内側方向へ回動して、図６のように寝かせると、スペーサー１４のツメ状の係合部１７が、図２のように、開口後方の内壁に設けられたフック状の係止部１８と係合する。このため、図６のように、充電池１３をスペーサー１４の仕切り板１４ａと内壁の間のスペースに嵌入すると、充電池１３の接点と充電端子１６とが（図示はしていないが）接触する。その際、仕切り板１４ａは、板状のガイド部１４ｂによって支持されるので安定した仕切りの役割をはたすことができる。また、このとき、充電池１３が充電端子１６に押されても係止部１８と係合したスペーサー１４は動かないので、充電を正常に行なうことができる。このとき、充電池１３は仕切り板１４ａの左右の突片２６で保持されるので（間隔を充電池１３の幅に合わせてある）、充電を安定して行なうことができる。
【００３５】
このように、充電池１３を装着した機器１１と充電池１３単体の充電を一つの開口１２でできる。また、充電池１３のみを充電する際は、スペーサー１４を回動するという簡単な作業で充電することができる。さらに、スペーサー１４と充電器本体１０´とが一体となっているため、スペーサー１４を紛失することはない。また、充電器本体１０´と一体とすることでスペーサー１４を収納するためだけのデッドスペースを無くすことができるので、充電器１０を小型化できる。
【実施例１】
【００３６】
この実施例１は、スペーサー１４の他の態様を示すもので、図７のように、スペーサー１４は、開口周囲の前方あるいは後方の端面に水平に載置される仕切り板１４ａと、開口内の両側の内壁に形成したガイド溝（レール）からなるガイド部１４ｂとで構成されている。
【００３７】
仕切り板１４ａは、両側に軸を設けて、ガイド溝に嵌入するようになっている。一方、ガイド部（ガイド溝）１４ｂは、図７のように上端部１２ａから底面へ向けて円弧状に形成してあって、仕切り板１４ａを底面に垂直に支持するようになっている。
【００３８】
この実施例１では、充電池１３を装着した被充電機器１１の充電をする場合は、仕切り板１４ａを上端部１２ａに載置して行う。このとき、仕切り板１４ａが底面にある場合は、ガイド部１４ｂの溝に沿って円弧状に移動させて上端部１２ａに載置する。一方、充電池１３単体の充電を行なう場合は、上端部１２ａの仕切り板１４ａをガイド部１４ｂの溝に沿って円弧状に移動させて底面に垂直に支持させて充電を行なう。他の構成及び作用効果については、実施形態と同じなので、説明は省略する。
【００３９】
なお、実施形態及び実施例１では、スペーサー１４の仕切り板１４ａを開口の前方に載置したものについて述べたが、これに限定されるものではない。仕切り板１４ａを開口の後方に載置するようにしても良い。このとき、実施形態のものでは、板状のガイド部１４ｂが充電端子１６を覆うが、その場合は、板状のガイド部１４ｂに換えて、充電端子１６の部分を切り欠いた門型（両サイドで仕切り板１４ａを支持する）のガイド部１４ｂとすれば対処できる。
【図面の簡単な説明】
【００４０】
【図１】実施形態の斜視図
【図２】実施形態の作用説明図
【図３】実施形態の作用説明図
【図４】実施形態の断面図
【図５】実施形態の断面図
【図６】実施形態の作用説明図
【図７】実施例１の作用説明図
【図８】従来例の断面図
【符号の説明】
【００４１】
１０  充電器
１０´  充電器本体
１１  被充電機器
１２  開口
１２ａ  上端部
１３  充電池
１４  スペーサー
１４ａ  仕切り板
１４ｂ  ガイド部
１６  充電端子
１７  係合部
１８  係止部
２１  突起
２２  突条
２６  突片
【図１】
0004811387.tif 000002
【図２】
0004811387.tif 000003
【図３】
0004811387.tif 000004
【図４】
0004811387.tif 000005
【図５】
0004811387.tif 000006
【図６】
0004811387.tif 000007
【図７】
0004811387.tif 000008
【図８】
0004811387.tif 000009